(57)【特許請求の範囲】
【請求項１】
画像を多重解像度空間に変換することにより、前記画像を複数の周波数帯域ごとの多重解像度画像に分解する工程と、
所望の画質再現を達成するように前記多重解像度画像の各画像に対して補正情報を設定する工程であって、画像出力装置による画像の出力条件に関連する情報に基づいて前記多重解像度画像の各画像に対するゲインを決定する工程と、
前記多重解像度画像の各画像に対するゲインを規定したパラメータファイルを前記補正情報として保持する工程と、
前記補正情報に従って前記多重解像度画像に補正処理を施す工程と、
前記補正処理が施された多重解像度画像から逆変換を行い、処理済みの画像を得る工程と、
を備えたことを特徴とする画像処理方法。
【請求項２】
前記画像出力装置としてプリンタが用いられ、
前記画像の出力条件に関連する情報は、当該プリンタの方式、プリンタ機種、画質設定の内容、プリントサイズ、プリント用紙の紙質、及びプリンタの周波数特性の方向依存性を示す情報のうち、少なくとも一つの情報を含むことを特徴とする請求項１に記載の画像処理方法。
【請求項３】
前記補正情報は、前記画像出力装置による画像の出力条件に応じて、最適なシャープネス強調処理及び偽信号低減処理のうち少なくとも一方の処理を行うように設定されていることを特徴とする請求項１又は２に記載の画像処理方法。
【請求項４】
被写体を撮像し、その光学像を電気信号に変換する撮像手段と、
前記撮像手段を介して取得された画像を多重解像度空間に変換することにより、前記画像を複数の周波数帯域ごとの多重解像度画像に分解する多重解像度分解処理手段と、
所望の画質再現を達成するように前記多重解像度画像の各画像に対して補正情報を設定して保持する手段であって、画像出力装置による画像の出力条件に関連する情報に基づいて前記多重解像度画像の各画像に対するゲインを決定し、前記多重解像度画像の各画像に対するゲインを規定したパラメータファイルを前記補正情報として保持する補正情報保持手段と、
前記補正情報に従って前記多重解像度画像の各画像に対して補正処理を施す補正処理手段と、
前記補正処理が施された多重解像度画像から逆変換を行い、処理済みの画像を得る復元処理手段と、
を備えたことを特徴とする撮影装置。
【請求項５】
前記処理済みの画像を記録媒体に記録する記録手段を備えたデジタルスチルカメラであることを特徴とする請求項４に記載の撮影装置。
【請求項６】
前記記録媒体としてリムーバブルメディアが用いられるとともに、前記補正情報に関連する情報をリムーバブルメディアから読み込んで補正情報を自動設定する機能を備えていることを特徴とする請求項５に記載の撮影装置。
【請求項７】
前記補正情報に関連する情報を前記撮影装置の外部から取り込む情報取込手段、及び前記補正情報に関連する情報をユーザ操作に従って入力可能な情報入力手段のうち少なくとも一方の手段を具備していることを特徴とする請求項４から６のいずれか１項に記載の撮影装置。
【請求項８】
請求項４から７のいずれか１項に記載の撮影装置と、該撮影装置で取得された前記処理済みの画像を出力する画像出力装置とを備えた撮影システムであって、
前記補正情報は、前記画像出力装置による画像の出力条件に関連する情報に基づいて、最適なシャープネス強調処理及び偽信号低減処理のうち少なくとも一方の処理を行うように決定されていることを特徴とする撮影システム。
【請求項９】
請求項８に記載の撮影システムにおける画像出力装置として適用可能なプリンタであって、
前記画像の出力条件に関連する情報として、当該プリンタの方式、プリンタ機種、画質設定の内容、プリントサイズ、プリント用紙の紙質、及びプリンタの周波数特性の方向依存性を示す情報のうち、少なくとも一つの情報を含むプリンタ情報をリムーバブルメディアに書き込む手段を具備していることを特徴とするプリンタ。
【発明の詳細な説明】
【０００１】
【発明の属する技術分野】
本発明は画像処理方法及び撮影装置並びに撮影システムに係り、特に、デジタルカメラで撮影した画像について、ファイルサイズやシーン、プリント条件などに応じて最適な画像処理を行うための画像処理技術に関する。
【０００２】
【従来の技術】
デジタルスチルカメラで記録される画像の画質において、シャープネスは重要な役割を果たしている。そのシャープネスを上げるために、カメラ内やプリンタなどの画像出力装置内で輪郭強調を行う画像処理を行っている。しかし、撮影シーンは様々であり、シーンによってはその補正処理によって破綻をきたす場合がある。また、従来提供されているユーザによる画像補正手段のほとんどは、シャープネス可変パラメータを上下させる程度のものであり、自由度が少なかった。
【０００３】
このような問題に対し、特開平９−１６１０６１号公報では、多重解像度画像を用いて処理の可能性及び柔軟性を広げ、撮影メニューと呼ばれる撮影条件や撮影方法に応じて強調すべき周波数帯を可変することにより、最適な画像処理を行っている。
【０００４】
【発明が解決しようとする課題】
しかしながら、同公報に開示された方法においても、以下に示す場合（▲１▼〜▲４▼）に対処できないという課題がある。すなわち、▲１▼シャープネス処理が撮影条件による自動補正であるため、撮影者にとって必ずしも最適でない場合が起こり得る。▲２▼撮影後のファイルを後処理、あるいは関連して補正することができない。▲３▼画像出力する際のプリント方式やプリンタ機種、プリントサイズ、プリンタの周波数特性の方向依存性、その他条件に適した周波数処理が必要な場合に対処できない。▲４▼家庭での利用形態やシステム製品のように特定のデジタルスチルカメラとプリンタとが１セット固定で使用されるトータルシステムへの適用が想定されていない。
【０００５】
また、上記公報以外にも、特開平１１−２９８８４７号公報は、選択された撮影モードに応じて周波数処理を行うことで、好適な画質の撮影画像が得られるデジタルカメラを開示している。しかし、同公報に開示の技術も、撮影モードという撮影条件のみに依存して撮影時の画像処理を最適化するに止まり、プリント出力の最適化までは考慮されていない。
【０００６】
特開平１０−１４２６７５号公報は、プリント情報を記録可能なカメラを開示しているが、プリント情報はプリント枚数の指定に関する情報であって、画質を向上させるための画像処理については何も述べられていない。
【０００７】
本発明はこのような事情に鑑みてなされたもので、多重解像度空間に変換された各周波数帯域ごとの画像（多重解像度画像）に対するゲインをパラメータファイルとして持つことを提案し、それによってデジタルスチルカメラに特化した出力ファイル別処理、シーン別処理、又はプリントなどの出力条件までも考慮したシャープネス処理が可能となる画像処理方法及び撮影装置並びに撮影システムを提供することを目的とする。また、同時に、ユーザの求める多様な処理に対応でき、かつ操作の簡易化が可能となる撮影装置を提供することを目的とする。
【０００８】
【課題を解決するための手段】
前記目的を達成するために、請求項１に係る画像処理方法は、画像を多重解像度空間に変換することにより、前記画像を複数の周波数帯域ごとの多重解像度画像に分解する工程と、所望の画質再現を達成するように前記多重解像度画像の各画像に対して補正情報を設定する工程であって、画像出力装置による画像の出力条件に関連する情報に基づいて前記多重解像度画像の各画像に対するゲインを決定する工程と、前記多重解像度画像の各画像に対するゲインを規定したパラメータファイルを前記補正情報として保持する工程と、前記補正情報に従って前記多重解像度画像に補正処理を施す工程と、前記補正処理が施された多重解像度画像から逆変換を行い、処理済みの画像を得る工程とを備えたことを特徴とする。
【０００９】
本発明によれば、複数の周波数帯域ごとに分割された多重解像度画像のそれぞれについて補正情報を設定でき、多様な補正処理を実現できる。なお、画像出力装置には、プリンタや画像表示装置などがある。
【００１０】
請求項２に記載の態様によれば、前記画像出力装置としてプリンタが用いられ、前記画像の出力条件に関連する情報は、プリンタの方式、プリンタ機種や画質設定の内容、プリントサイズ、プリント用紙の紙質、及びプリンタの周波数特性の方向依存性を示す情報のうち、少なくとも一つの情報を含むことを特徴としている。これにより、プリント時の出力に最適な画像処理を行うことができる。
【００１１】
請求項３に記載の態様によれば、前記補正情報は、前記画像出力装置による画像の出力条件に応じて、最適なシャープネス強調処理及び偽信号低減処理のうち少なくとも一方の処理を行うように設定されていることを特徴としている。
【００１２】
請求項４に係る撮影装置は、上記方法発明を具現化する装置を提供するものである。すなわち、本発明の撮影装置は、被写体を撮像し、その光学像を電気信号に変換する撮像手段と、前記撮像手段を介して取得された画像を多重解像度空間に変換することにより、前記画像を複数の周波数帯域ごとの多重解像度画像に分解する多重解像度分解処理手段と、所望の画質再現を達成するように前記多重解像度画像の各画像に対して補正情報を設定して保持する手段であって、画像出力装置による画像の出力条件に関連する情報に基づいて前記多重解像度画像の各画像に対するゲインを決定し、前記多重解像度画像の各画像に対するゲインを規定したパラメータファイルを前記補正情報として保持する補正情報保持手段と、前記補正情報に従って前記多重解像度画像の各画像に対して補正処理を施す補正処理手段と、前記補正処理が施された多重解像度画像から逆変換を行い、処理済みの画像を得る復元処理手段とを備えたことを特徴とする。
【００１３】
本発明の一態様として、請求項５に示したように、前記処理済みの画像を記録媒体に記録する記録手段を備えたデジタルスチルカメラとする態様がある。
また、請求項６に係る撮影装置は、前記記録媒体としてリムーバブルメディアが用いられるとともに、前記補正情報に関連する情報をリムーバブルメディアから読み込んで補正情報を自動設定する機能を備えていることを特徴としている。これにより、前記プリンタ情報が記録されたリムーバブルメディアを介して補正情報を自動設定でき、ユーザ操作の簡易化を実現できる。
【００１４】
また、請求項７に係る撮影装置は、前記補正情報に関連する情報を前記撮影装置の外部から取り込む情報取込手段、及び前記補正情報に関連する情報をユーザ操作に従って入力可能な情報入力手段のうち少なくとも一方の手段を具備していることを特徴としている。補正情報に関連する情報は外部からダウンロードしてもよいし、ユーザが情報入力手段から入力してもよい。いずれの場合も、ユーザの要求に見合う多様な補正処理が可能となるが、特に、外部から読み込んだ情報に基づいて補正情報を自動設定する態様はユーザ操作を簡略化できる。
【００１５】
請求項８に記載の発明は、請求項４から７に記載の撮影装置と、該撮影装置で取得された前記処理済みの画像を出力する画像出力装置とから構成される撮影システムであって、前記補正情報は、前記画像出力装置による画像の出力条件に関連する情報に基づいて、最適なシャープネス強調処理及び偽信号低減処理のうち少なくとも一方の処理を行うように決定されていることを特徴としている。本発明の撮影システムによれば、使用する画像出力装置の出力条件に合わせて、最適な周波数処理が可能となり、出力画像の最適化を達成できる。
【００１６】
また、請求項９に示すように、上記撮影システムにおける画像出力装置として適用可能なプリンタにおいて、前記画像の出力条件に関連する情報として、当該プリンタの方式、プリンタ機種、画質設定の内容、プリントサイズ、プリント用紙の紙質、及びプリンタの周波数特性の方向依存性を示す情報のうち、少なくとも一つの情報を含むプリンタ情報をリムーバブルメディアに書き込む手段を具備する態様も好ましい。
【００１８】
【発明の実施の形態】
以下添付図面に従って本発明に係る画像処理方法及び撮影装置並びに撮影システムの好ましい実施の形態について説明する。まず、多重解像度画像について特開平９−１６１０６１号公報を援用して概説する。同公報に記載されている通り、画像信号に対して周波数処理を施し、所定の周波数成分を強調する方法は従来から提案されている。フーリエ変換、ウェーブレット変換、サブバンド変換等により画像を多重解像度画像に変換することにより、画像を表す画像信号を複数の周波数帯域の信号に分解し、この分解された信号のうち、所望する周波数帯域の信号に対して強調等の画像処理を施す方法が提案されている。また、画像を多重解像度空間に変換する新たな手法としてラプラシアンピラミッドなる方法も提案されている（特開平５−２４４５０８号、特開平６−３０１７６６号）。
【００１９】
ラプラシアンピラミッドは、原画像に対してガウス関数で近似されたようなマスクによりマスク処理を施した後、画像をサブサンプリングして画素数を間引いて半分にすることにより、原画像の１／４サイズのボケ画像を得る。このボケ画像のサンプリングされた画素に値が０の画素を補間して元の大きさの画像に戻し、この画像に対して更に上述したマスクによりマスク処理を施してボケ画像を得る。そして、当該ボケ画像を原画像から減算して原画像の所定の周波数帯域を表す細部画像を得る。
【００２０】
上記処理を得られたボケ画像に対して繰り返すことにより原画像の１／２2Nの大きさのボケ画像をＮ個作成するものである。ガウス関数で近似されたようなマスクによりマスク処理を施した画像に対してサンプリングを行っているため、実際にはガウシアンフィルタを用いているが、ラプラシアンフィルタをかけた場合と同様の処理済み画像が得られる。そしてこのように原画像サイズの画像から順に１／２2Nの大きさの低周波数帯域の画像が得られるため、この処理の結果得られた画像はラプラシアンピラミッドと呼ばれる。
【００２１】
このようにして得られたラプラシアンピラミッドの全ての周波数帯域の画像に対して強調処理を施し、この強調処理が施された各周波数帯域の画像を逆変換して処理済み画像を得る方法が特開平５−２４４５０８号及び特開平６−３０１７６６号に記載されている。
【００２２】
以下に述べる本発明の実施形態においては、上述のラプラシアンピラミッドの手法により画像信号を多重解像度画像に分解するものとする。
【００２３】
図１は、本実施形態に係るデジタルスチルカメラ（ＤＳＣ）のブロック図である。カメラ１０の光学系ユニット１２は、撮影レンズとシャッター兼用絞り機構を含む。撮影レンズは、単焦点レンズでもよいし、ズームレンズ等の焦点距離可変のものでもよい。撮影レンズを通過した光は、絞りによって光量が調節された後、撮像デバイス１４に入射する。撮像デバイス１４には、ＣＣＤイメージセンサ、ＣＭＯＳイメージセンサなど種々のデバイスを適用できる。
【００２４】
撮像デバイス１４の受光面には、フォトセンサが平面的に配列されており、該受光面に結像された被写体像は、各フォトセンサによって入射光量に応じた量の信号電荷に変換される。駆動回路１６は撮像デバイスドライバを含み、ＣＰＵ２０の指令に従って発生されるタイミング信号に基づいて撮像デバイス１４を作動させる。また、駆動回路１６は、光学系ユニット１２内の撮影レンズ及びシャッター兼用絞り機構の駆動回路を備えたブロックであり、ＣＰＵ２０の指令に従って撮影レンズ及びシャッター兼用絞り機構を作動させる。
【００２５】
撮像デバイス１４の各フォトセンサに蓄積された信号電荷は、駆動回路１６から与えられるパルスに基づいて信号電荷に応じた電圧信号（画像信号）として順次読み出され、アナログ信号処理部２２に送られる。アナログ信号処理部２２はサンプリングホールド回路、色分離回路、ゲイン調整回路等の信号処理回路を含み、このアナログ信号処理部２２において、相関二重サンプリング（ＣＤＳ）処理並びにＲ，Ｇ，Ｂの各色信号に色分離処理され、各色信号の信号レベルの調整（プリホワイトバランス処理）が行われる。
【００２６】
アナログ信号処理部２２から出力された信号は、Ａ／Ｄ変換器２４によりデジタル信号に変換された後、デジタル信号処理部２６に送られる。デジタル信号処理部２６は、輝度・色差信号生成回路、多重解像度分解処理回路、ガンマ補正回路、シャープネス補正回路、コントラスト補正回路、ホワイトバランス補正回路等を含む画像信号処理手段であり、ＣＰＵ２０からのコマンドに従って画像信号を処理する。
【００２７】
デジタル信号処理部２６に入力された画像データは、輝度信号（Ｙ信号）及び色差信号（Ｃr,Ｃb 信号）に変換され、多重解像度画像を利用した強調処理、偽信号低減処理、ガンマ補正等の所定の処理が施される。パラメータファイル（ＰＦ）格納部２８には、多重解像度分解によって得られた各帯域の画像に対するゲインを規定したパラメータファイルが格納されている。パラメータファイルのデータは、カメラ１０に着脱自在なメモリカード等の記録媒体４０からロードすることができ、又はユーザが操作部４２から所定の操作手順に従って入力することができる。
【００２８】
デジタル信号処理部２６は、パラメータファイルに記述されているゲイン（以下、必要に応じて「ＰＦゲイン」と呼ぶ。）の設定内容に従って多重解像度画像の補正処理を行い、補正後のデータから復元処理を行って所望画質の画像を得る。画像処理の詳細については図２及び図３を用いて後述する。こうして、デジタル信号処理部２６で得られた画像データはメモリ３０に格納される。撮影画像を表示出力する場合、メモリ３０から画像データが読み出され、表示用信号処理部３２へ送られる。表示用信号処理部３２は、入力された画像データを表示用の所定方式に従った映像信号に変換し、得られた映像信号を液晶モニタ（ＬＣＤ）その他の表示デバイス３４に出力する。
【００２９】
撮像デバイス１４から取り込んだ画像信号によってメモリ３０内の画像データが定期的に書き換えられ、その画像データから生成される映像信号が表示デバイス３４に供給されることにより、表示デバイス３４には撮影映像がリアルタイムに表示される。
【００３０】
シャッタースイッチ３６が押下されると、撮影開始指示（レリーズＯＮ）信号が発せられる。ＣＰＵ２０は、レリーズＯＮ信号を検知して記録用の撮像動作を実行する。すなわち、ＣＰＵ２０は、レリーズＯＮ信号の受け付けに応動して駆動回路１６を制御し、記録用の画像データの取り込みを開始するとともに、圧縮伸張回路３８にコマンドを送る。これにより圧縮伸張回路３８は、メモリ３０上の画像データをＪＰＥＧその他の所定の形式に従って圧縮する。
【００３１】
圧縮された画像データは、記録媒体４０に記録される。記録媒体４０は、メモリカードその他のリムーバブルメディアであってもよいし、カメラ１０に内蔵されたメモリ（内蔵メモリ）であってもよい。内蔵メモリに画像を保存する態様の場合、データをパソコン等の外部機器に転送するための通信用インターフェースが設けられる。
【００３２】
再生モード時には、記録媒体４０から画像データが読み出され、読み出された画像データは、圧縮伸張回路３８によって伸張処理された後、メモリ３０を介して表示デバイス３４に再生出力される。
【００３３】
ＣＰＵ２０はカメラ１０の制御部であり、シャッタースイッチ３６をはじめ、操作部４２に含まれるモード選択スイッチ、十字ボタン、メニューボタンなど各操作スイッチ等から受入する入力信号に基づき、対応する回路の動作を制御し、表示デバイス３４における表示の制御、オートフォーカス（ＡＦ）制御、自動露出（ＡＥ）制御及び記録処理の制御などの制御を行う。ＣＰＵ２０は、シャッタースイッチ３６の「半押し」操作に応動して取り込んだ画像データから焦点評価演算やＡＥ演算などの各種演算を行い、その演算結果に基づいて駆動回路１６を制御して撮影レンズを合焦位置に移動させる一方、シャッター兼用絞り機構を制御するとともに、撮像デバイス１４の電荷蓄積時間を制御する。
【００３４】
図２は、デジタル信号処理部２６における画像処理の流れを示したブロック図である。同図に示すように、デジタル信号処理部２６に入力された画像は輝度・色差信号（Ｙ，Ｃr,Ｃb ）に変換された後、Ｙ，Ｃr ，Ｃb それぞれの信号は多重解像度画像に分割される。本例では各信号について３つの画像に分割されるものとするが、それぞれの分割数（多重数）は、使用される出力機器の特性など出力条件に応じて変更することが好ましい。
【００３５】
Ｙ信号は、周波数帯域ごとにＹf1, Ｙf2, Ｙf3の３画像に分割され、Ｃr 信号はＣrf1,Ｃrf2,Ｃrf3 に分割され、Ｃb 信号はＣbf1,Ｃbf2,Ｃbf3 に分割される。こうして、分割された各画像に対してゲイン処理が行われる。各ゲインはパラメータファイルによって設定されており、設定されているゲイン値に従ってゲイン処理が施される。そして、ゲイン処理が施された各周波数帯域の画像を逆変換して復元することにより、最適な処理画像が出力される。
【００３６】
図３には、パラメータファイルに記述されるゲイン設定の例が示されている。同図（ａ）はＹ信号について分割された多重解像度画像Ｙf1, Ｙf2, Ｙf3に対するゲイン値のグラフ、同図（ｂ）はＣr 信号について分割された多重解像度画像Ｃrf1,Ｃrf2,Ｃrf3 に対するゲイン値のグラフ、同図（ｃ）はＣb 信号について分割された多重解像度画像Ｃbf1,Ｃbf2,Ｃbf3 に対するゲイン値のグラフである。
【００３７】
図３に示したように多重解像度画像のそれぞれのゲインを設定すると、シャープネス感を向上させ、色彩度も上げることができる一方で、ノイズを抑制することができる。すなわち、輝度（Ｙ）信号に関して、中周波から高周波にかけてゲインを大きくすることによって、シャープネス感を上げ、色差（Ｃr ，Ｃb)信号については、低周波のゲインを大きくして彩度を上げるとともに、高周波側にかけてゲインを小さくすることによってノイズを低下させる効果がある。
【００３８】
パラメータファイルは、目標とする画質に応じて適宜変更される。パラメータファイルの内容は、プリンタ等の出力機器から必要な情報をダウンロードすることによって自動設定される。また、パソコンなどによってユーザが独自にパラメータファイルを作成することも可能であり、作成されたパラメータファイルはリムーバブルメディアや通信インターフェースを通じてカメラ１０にダウンロードできる。
【００３９】
具体的には、撮影画像を出力する手段として指定されている出力機器の特性に合わせて、最適なゲイン設定を行う態様が好ましい。出力機器にプリンタを用いる場合、プリンタの出力条件を考慮してゲイン設定を行う。プリンタの出力条件としては、プリンタの方式（インクジェット方式、サーモオートクローム方式など) 、プリンタ機種や設定（解像度、ガンマなど）、プリントサイズ、プリント用紙の紙質（光沢性など）、プリンタの周波数特性の方向依存性などを考慮する。
【００４０】
プリント方式を考えると、例えば、インクジェット方式はノイズなどが誤差拡散によって目立ち難い場合があるので、多重解像度画像の高周波成分にあたる部分のゲインを大きく設定することができ、シャープネスを向上させることが可能になる。
【００４１】
プリンタの機種や設定を考えると、使用するプリンタが上位機種であるか、下位機種であるかの別、あるいは高画質モード／通常モードなどの必要画質によって多重解像度画像のゲインを可変する。例えば、通常画質のモードでは三段階多重解像度分割を行い、高画質のモードでは更に多数の複数段階多重解像度に分割する態様がある。
【００４２】
プリントサイズを考えると、プリントサイズが小さければ、多重解像度画像の高周波成分にあたる部分のＰＦゲインは小さく、低周波から中周波にかけてのＰＦゲインを大きく設定する。プリントサイズが大きい場合は、これと逆に高周波帯域に高いゲインをかけてシャープネスを高める。
【００４３】
プリント用紙の紙質を考えると、光沢度によって解像感が変わってくるので、高光沢紙を使用する場合には、多重解像度の高周波成分にあたる部分のＰＦゲインを大きく、低中周波にかけてのＰＦゲインを小さく設定する。低光沢紙を使用する場合は、これと逆に高周波成分にあたる部分のＰＦゲインを小さく、低中周波にかけてのＰＦゲインを大きく設定する。
【００４４】
プリンタの周波数特性の方向依存性を考えると、プリンタによっては特定の方向（例えば、斜め方向）の周波数特性が弱い（その方向に関する鮮鋭度が悪い）ものがある。かかる性質を有するプリンタを使用する場合は、事前にその方向を強めに補正するようにＰＦゲインを設定する。特定の方向について周波数特性が強い場合は、これと逆に設定する。
【００４５】
次に、上記の如く構成されたデジタルカメラの動作について説明する。図４は、カメラ１０の動作手順を示すフローチャートである。まず、ユーザはカメラ１０のパワースイッチを操作するなどしてカメラ電源をＯＮにする（ステップＳ４１０）。その後、ユーザは画像の出力機器として使用するプリンタの出力条件に関する情報（プリンタ情報という。）をカメラ１０のパラメータファイルに設定する（ステップＳ４１２）。プリンタ情報は、操作部４２を操作して直接入力してもよいし、メモリカードなどの記録媒体４０からロードしてもよい。
【００４６】
こうして、プリンタ情報がカメラ１０のパラメータファイルに書き込まれる。カメラ１０は、読み込んだプリンタ情報を基にして多重解像度画像に対するゲインデータを生成し、そのゲイン情報をパラメータファイルとして保持する。
【００４７】
ユーザがシャッタースイッチ３６を押下すると（ステップＳ４１４）、記録用の画像取り込み（露光）が行われる。この撮影動作によって得られた画像信号の処理過程においてパラメータファイルが参照され、最適なゲインが設定される。
【００４８】
撮影画像のシャープネスは、シーンによって最適化されることは勿論のこと、プリンタ情報に基づいて最適なパラメータファイルが設定されることにより、プリンタ出力に適した周波数処理を実現できる。こうして、適切に画像処理された画像が記録媒体４０に記録される。なお、カメラ１０内にパラメータファイルを保持しているため、記録画像に対してどのような補正処理が施されているかを把握できる。そのため、撮影後の画像補正処理も容易である。
【００４９】
また、補正項目として、例えば、コントラストの高い部分に発生する偽色やモアレの低減処理を考えると、パラメータファイルは、画像（Ｙ信号）に対して多重解像度画像を持たせることによって、偽色の発生しやすい高周波成分ではＰＦゲインを小さく、色の大部分を示す低中波成分ではＰＦゲインを大きく設定する。同様に、輝度・色差信号（YCC)処理におけるＣr Ｃb の色成分に対して多重解像度画像を持たせることによって、偽色の発生しやすい高周波成分ではＰＦゲインを小さく設定し、色の大部分を示す低中周波成分ではＰＦゲインを大きく設定する。
【００５０】
上記説明では、輝度・色差信号（Ｙ，Ｃr,Ｃb ）について多重解像度画像に分割する例を述べたが、本発明の適用範囲はこれに限定されず、Ｒ（赤），Ｇ（緑），Ｂ（青）や他の色空間についても同様に適用できる。
【００５１】
本発明によれば、プリンタや画像表示装置などの出力デバイスに応じて、適切な周波数帯域について必要なゲイン処理を行うことができ、最適な画像出力を得ることができる。
【００５２】
多重解像度画像に対するゲインをパラメータファイルとして保有したことにより、シャープネス処理の高性能化を達成できるとともに、ユーザの要求に応え得る多様な処理の実現と操作の簡易化を達成できる。これにより、プリントなどの最終的な画像出力条件までも考慮した最適なシャープネス処理が可能となる。
【００５３】
次に、デジタルスチルカメラとプリンタとを組み合わせたシステムについて説明する。一般の家庭では、所有しているデジタルカメラとプリンタの機種は特定されており、使用する機器の組合せ関係が固定である場合が多い。また、街頭などに設置されるセルフ撮影式の証明写真装置のようなシステム製品においても、カメラ（撮影部）とプリンタ（印刷部）の組合せ関係は固定であり、一つの系として閉じている。
【００５４】
このように、入力デバイスとしてのカメラと、出力デバイスとしてのプリンタを１セットで固定的に使用するシステムについて、本発明を適用することにより、出力デバイスでの画像出力を最適化したシステムを実現できる。
【００５５】
図５は、デジタルカメラとプリンタとから構成されるシステムのブロック図である。図５中図１と共通する部分には同一の符号を付し、説明は省略する。
【００５６】
プリンタ６０は、制御部としてのＣＰＵ６２と、記録媒体６４から取り込んだ画像データを処理するデジタル信号処理部６６と、処理データの格納やＣＰＵ６２の作業用領域等として使用されるメモリ６８と、プリンタヘッド７０と、該プリンタヘッド７０の駆動回路７２と、を備えている。
【００５７】
プリンタ６０の種類としては、インクジェット方式のプリンタ、サーモオートクローム（ＴＡ）方式のプリンタ、昇華型プリンタなど、様々な方式のプリンタを適用できる。使用されるプリンタの形態に応じてプリンタヘッド７０及びその駆動回路７２の具体的構成は異なる。例えば、インクジェット方式のプリンタの場合、プリンタヘッド７０にはインク噴射部が含まれる。プリント用紙７４には、光沢紙、高画質専用紙、普通紙、又はシール用紙（用紙の裏面に粘着剤を有し、この裏面に対して剥離可能な台紙が貼付されてなる用紙）など種々のタイプを用いることができ、所定サイズに切断されているカット紙であってもよいし、ロール紙などの連続用紙であってもよい。
【００５８】
プリンタ６０の記録媒体６４は、カメラ１０と同様に、内蔵メモリを用いる態様と、メモリカードなどのリムーバブルメディアを用いる態様とがある。カメラ１０の記録媒体４０として内蔵メモリが用いられる場合には、プリンタ６０側の記録媒体６４も内蔵メモリが用いられる。この場合、カメラ１０とプリンタ６０は、ＵＳＢ、ＩＥＥＥ１３９４その他の所定の通信インターフェースを介して通信可能に接続され、カメラ１０からプリンタ６０へ画像データ等の受け渡しが行われる。
【００５９】
その一方、カメラ１０の記録媒体４０としてリムーバブルメディアが用いられる場合には、当該記録媒体４０がプリンタ６０のメディアインターフェースに装着される。この場合、記録媒体６４は記録媒体４０と同一のものとなる。なお、証明写真装置などのシステム製品の場合には、記録媒体４０、６４として共通の内蔵メモリを用い、ＣＰＵ２０、６２も共通のＣＰＵで構成できる。
【００６０】
プリンタ６０がリムーバブルメディア装着用のインターフェースを具備している態様においては、当該プリンタ６０によって記録媒体６４を初期化する時に、プリント出力に関する情報（プリンタ情報）が記録媒体６４に書き込まれる。プリンタ情報が記録媒体６４に書き込まれるタイミングは、記録媒体６４の初期化時に限定されない。ユーザが必要に応じて随時、所定の操作を行うことによって、プリンタ情報を記録媒体６２に書き込むことも可能である。また、パソコン（ＰＣ）８０などの外部装置によってプリンタ情報の入力操作も可能である。
【００６１】
図６は、図５に示したシステムの動作例を示すフローチャートである。まず、プリンタ６０のメディアインターフェース（カードスロット）に記録媒体６４を装着し、この記録媒体６４を初期化する。（ステップＳ６１０）。
【００６２】
メディア初期化処理の工程において、当該記録媒体６４のパラメータファイルにプリンタ情報が書き込まれる。次いで、初期化処理が完了した記録媒体６４をカメラ１０に装着する（ステップＳ６１２）。記録媒体６４の中からプリンタ情報が読み出され、カメラ１０内のパラメータファイルとしてＰＦ格納部２８に保存される。このとき、プリンタ情報に基づき、多重解像度画像の各ゲイン値データ等が生成される。
【００６３】
その後、ユーザがシャッタースイッチ３６を押下すると（ステップＳ６１４）、記録用の画像取り込み（露光）が行われる。この撮影動作によって得られた画像信号の処理過程においてパラメータファイルが参照され、最適なゲインが設定される。
【００６４】
撮影画像のシャープネスは、シーンによって最適化されることは勿論のこと、プリンタ情報に基づいて最適なパラメータファイルが設定されることにより、プリント出力に適した処理を実現できる。こうして、適切に画像処理された画像が記録媒体４０に記録される（ステップＳ６１６）。
【００６５】
上述の説明では、プリンタ６０によって記録媒体６４を初期化すると同時にプリンタ情報が記録媒体６４に書き込まれ、記録媒体６４を介してＰＦゲインに自動設定される例を述べたが、カメラ１０、パソコン８０及びプリンタ６０から成るシステムの場合は、パソコン８０を介してプリンタ情報がカメラ１０のＰＦゲインに自動設定される。
【００６６】
また、上記実施の形態では、画像出力装置としてプリンタを用いる場合を説明したが、画像出力装置として、ＣＲＴ表示装置、液晶ディスプレイ、プラズマディスプレイなどの画像表示装置を用いる態様も可能である。本発明を適用することで、画像表示装置の表示出力特性に応じて最適な表示を達成するように画像処理を行うことができる。
【００６７】
【発明の効果】
以上説明したように本発明によれば、入力された画像について多重解像度画像に分解し、周波数帯域ごとに分けられたそれぞれの画像に対して補正情報を設定できるようにしたので、多様な補正処理を実現できる。特に、多重解像度画像の各画像に対するゲインをパラメータファイルとして保持したことにより、シャープネス処理の高性能化を達成でき、ユーザの求める多様な処理を実現できるとともに、操作の簡易化を達成できる。これにより、プリントなどの最終的な画像出力条件までも考慮した最適なシャープネス処理が可能となる。
【００６８】
また、本発明によれば、特定の撮影装置と画像出力装置とを用いて画像の入力から出力までのトータルシステムを構成した場合、画像出力装置による画像再現に最適な信号処理が可能となり、システムの最適化を達成できる。
【００６９】
本発明は、今後の高性能かつ高機能のデジタルスチルカメラの開発に貢献し得るとともに、証明写真装置などのシステム製品の性能向上にも貢献し得るものである。
【図面の簡単な説明】
【図１】本実施形態に係るデジタルスチルカメラのブロック図
【図２】図１中のデジタル信号処理部における画像処理の流れを示したブロック図
【図３】パラメータファイルに記述されるゲイン設定の例を示す図
【図４】本実施形態に係るカメラの動作手順を示すフローチャート
【図５】デジタルカメラとプリンタとから構成されるシステムのブロック図
【図６】図５に示したシステムの動作例を示すフローチャート
【符号の説明】
１０…カメラ、１２…光学系ユニット、１４…撮像デバイス、２０…ＣＰＵ、２４…Ａ／Ｄ変換器、２６…デジタル信号処理部、２８…パラメータファイル（ＰＦ）格納部、３４…表示デバイス、３６…シャッタースイッチ、４０…記録媒体、６０…プリンタ、６４…記録媒体、７０…プリンタヘッド、８０…パソコン
【図１】
0003918084.tif 000002
【図２】
0003918084.tif 000003
【図３】
0003918084.tif 000004
【図４】
0003918084.tif 000005
【図５】
0003918084.tif 000006
【図６】
0003918084.tif 000007